(57)【要約】      （修正有）【課題】従来の車両用灯具では、発光面と非発光面とが交互に配列された発光パターンを得ることができない。【解決手段】この発明は、ランプハウジング、ランプレンズ、半導体型光源１、レンズ部材２、を備えるものである。レンズ部材２は、第１入射面２０１、第２入射面２０２、第１出射面２１１、第２出射面２１２、２つの第３出射面２１３、２１４、第１反射面２２１、第２反射面２２２、２つの第３反射面２２３、２２４、第１非発光面、第２非発光面、第３非発光面を有する。この結果、この発明は、出射面２１１、２１２、２１３、２１４の発光面と、非発光面とが交互に配列された発光パターンを得ることができる。【選択図】図２
2014060040.tif 000002
【特許請求の範囲】
【請求項１】
灯室を区画するランプハウジングおよびランプレンズと、
前記灯室内に配置されている半導体型光源およびレンズ部材と、
を備え、
前記レンズ部材は、
前記半導体型光源の中央部から放射される光を平行光として入射させる第１入射面と、
前記半導体型光源の側部から放射される光を平行光として入射させる第２入射面と、
前記第１入射面から入射した前記平行光を測定スクリーンに対して垂直な平行光として出射させる第１出射面と、
前記第２入射面から入射した前記平行光の一部を平行反射光として全反射させる第１反射面と、
前記第１反射面で全反射した前記平行反射光を測定スクリーンに対して垂直な平行光として出射させる第２出射面と、
前記第２入射面から入射した前記平行光の残りを平行反射光として全反射させる第２反射面と、
前記第２反射面で全反射した前記平行反射光を１つもしくは複数の光束の平行反射光として全反射させる１つもしくは複数の第３反射面と、
１つもしくは複数の前記第３反射面で全反射した１つもしくは複数の光束の前記平行反射光を測定スクリーンに対して垂直な平行光として出射させる１つもしくは複数の第３出射面と、
前記第１出射面と前記第２出射面との間、前記第２出射面と１つの前記第３出射面との間、もしくは、複数の前記第３出射面と前記第３出射面との間、にそれぞれ設けられている非発光面と、
を有する、
ことを特徴とする車両用灯具。
【請求項２】
前記第１入射面は、前記半導体型光源を焦点とする双曲線を、前記双曲線の主軸を回転軸として回転させてなる回転双曲面の屈折面であり、
前記第２入射面は、前記半導体型光源を焦点とする双曲線を、前記第１入射面の回転軸を回転軸として回転させてなる屈折面であり、
前記第１反射面、前記第２反射面、１つもしくは複数の前記第３反射面は、直線を前記第１入射面の回転軸を回転軸として回転させてなる反射面であり、
前記第１出射面は、前記第１入射面の回転軸を中心とする円形の出射面であり、
前記第２出射面、１つもしくは複数の前記第３出射面と前記非発光面とは、前記第１入射面の回転軸を中心とする円環形の出射面、非発光面である、
ことを特徴とする請求項１に記載の車両用灯具。
【請求項３】
前記第１入射面を形成する前記双曲線の頂点から前記半導体型光源までの距離は、前記第２入射面を形成する前記双曲線の頂点から前記半導体型光源までの距離よりも小さい、
ことを特徴とする請求項２に記載の車両用灯具。
【請求項４】
前記第１出射面、前記第２出射面、１つもしくは複数の前記第３出射面のうち、少なくともいずれか一方の一部には、前記平行光を拡散させる拡散部が設けられている、
ことを特徴とする請求項１〜３のいずれか１項に記載の車両用灯具。
【発明の詳細な説明】
【技術分野】
【０００１】
この発明は、半導体型光源と、レンズ部材と、を備え、発光範囲が拡大されている車両用灯具であって、たとえば、テールランプ、ストップランプ、テール・ストップランプ、クリアランスランプ、ターンシグナルランプ、リアフォグランプ、デイタイムランニングランプなどの車両用灯具に関するものである。
【背景技術】
【０００２】
この種の車両用灯具は、従来からある（たとえば、特許文献１）。以下、従来の車両用灯具について説明する。従来の車両用灯具は、光源と、光学片と、を備え、光学片が、入射面と、反射面と、射出面と、を有するものである。光源の中央部からの光は、入射面の中央部から光学片中に入射して射出面の中央部から外部に出射する。また、光源の側部からの光は、入射面の側部から光学片中に入射して射出面の側部で反射してかつ反射面で反射して射出面の側部から外部に出射する。これにより、大きい射出面すなわち発光範囲が得られる。
【先行技術文献】
【特許文献】
【０００３】
【特許文献１】特開２００４−１３４３５７号公報
【発明の概要】
【発明が解決しようとする課題】
【０００４】
ところが、従来の車両用灯具は、射出面がほぼ全面に亘って発光するものであるから、出射面において、非発光面と交互に配列された発光面が発光する発光パターン、すなわち、発光面と非発光面とが交互に配列された発光パターンを得ることができない。
【０００５】
この発明が解決しようとする課題は、従来の車両用灯具では、発光面と非発光面とが交互に配列された発光パターンを得ることができないという点にある。
【課題を解決するための手段】
【０００６】
この発明（請求項１にかかる発明）は、灯室を区画するランプハウジングおよびランプレンズと、灯室内に配置されている半導体型光源およびレンズ部材と、を備え、レンズ部材が、半導体型光源の中央部から放射される光を平行光として入射させる第１入射面と、半導体型光源の側部から放射される光を平行光として入射させる第２入射面と、第１入射面から入射した平行光を測定スクリーンに対して垂直な平行光として出射させる第１出射面と、第２入射面から入射した平行光の一部を平行反射光として全反射させる第１反射面と、第１反射面で全反射した平行反射光を測定スクリーンに対して垂直な平行光として出射させる第２出射面と、第２入射面から入射した平行光の残りを平行反射光として全反射させる第２反射面と、第２反射面で全反射した平行反射光を１つもしくは複数の光束の平行反射光として全反射させる１つもしくは複数の第３反射面と、１つもしくは複数の第３反射面で全反射した１つもしくは複数の光束の平行反射光を測定スクリーンに対して垂直な平行光として出射させる１つもしくは複数の第３出射面と、第１出射面と第２出射面との間、第２出射面と１つの第３出射面との間、もしくは、複数の第３出射面と第３出射面との間、にそれぞれ設けられている非発光面と、を有する、ことを特徴とする。
【０００７】
この発明（請求項２にかかる発明）は、第１入射面が、半導体型光源を焦点とする双曲線を、双曲線の主軸を回転軸として回転させてなる回転双曲面の屈折面であり、第２入射面が、半導体型光源を焦点とする双曲線を、第１入射面の回転軸を回転軸として回転させてなる屈折面であり、第１反射面、第２反射面、１つもしくは複数の第３反射面が、直線を第１入射面の回転軸を回転軸として回転させてなる反射面であり、第１出射面が、第１入射面の回転軸を中心とする円形の出射面であり、第２出射面、１つもしくは複数の第３出射面と非発光面とが、第１入射面の回転軸を中心とする円環形の出射面、非発光面である、ことを特徴とする。
【０００８】
この発明（請求項３にかかる発明）は、第１入射面を形成する双曲線の頂点から半導体型光源までの距離が、第２入射面を形成する双曲線の頂点から半導体型光源までの距離よりも小さい、ことを特徴とする。
【０００９】
この発明（請求項４にかかる発明）は、第１出射面、第２出射面、１つもしくは複数の第３出射面のうち、少なくともいずれか一方の一部には、平行光を拡散させる拡散部が設けられている、ことを特徴とする。
【発明の効果】
【００１０】
この発明の車両用灯具は、第１出射面および第２出射面および１つもしくは複数の第３出射面と、第１出射面と第２出射面との間および第２出射面と１つの第３出射面との間もしくは複数の第３出射面と第３出射面との間にそれぞれ設けられている非発光面とにより、発光面と非発光面とが交互に配列された発光パターンを得ることができ、しかも、発光範囲を拡大させることができる。
【図面の簡単な説明】
【００１１】
【図１】図１は、この発明にかかる車両用灯具の実施形態を示す半導体型光源およびレンズ部材の正面図（レンズ部材から見た正面図）である。
【図２】図２は、図１におけるＩＩ−ＩＩ線断面図である。
【図３】図３は、レンズ部材の第１入射面、第２入射面、第１出射面、第１反射面、第２出射面、第２反射面、２つの第３反射面、２つの第３出射面を示す説明図である。
【図４】図４は、レンズ部材における光路を示す説明図である。
【図５】図５は、レンズ部材の第１入射面と半導体型光源との間の距離と、第２入射面と半導体型光源との間の距離と、の相対関係を示す説明図である。
【図６】図６は、レンズ部材の第１出射面および第２出射面および２つの第３出射面の発光面と、第１出射面と第２出射面との間および第２出射面と１つの第３出射面との間および２つの第３出射面と第３出射面との間にそれぞれ設けられている非発光面とが交互に配列された発光パターンを示す説明図である。
【発明を実施するための形態】
【００１２】
以下、この発明にかかる車両用灯具の実施形態（実施例）を図面に基づいて詳細に説明する。なお、この実施形態によりこの発明が限定されるものではない。なお、特許請求の範囲の記載において、「平行」は「平行もしくはほぼ平行」を、「垂直」は「垂直もしくはほぼ垂直」を、それぞれ定義する。
【００１３】
（実施形態の構成の説明）
以下、この実施形態における車両用灯具の構成について説明する。この実施形態の車両用灯具は、灯室（図示せず）を区画するランプハウジング（図示せず）およびランプレンズ（図示せず）と、灯室内に配置されている半導体型光源１およびレンズ部材２と、を備えるものである。
【００１４】
前記半導体型光源１および前記レンズ部材２は、この例では、テールランプのランプユニットを構成する。前記半導体型光源１および前記レンズ部材２のテールランプのランプユニットは、前記灯室内に、１ユニットもしくは複数ユニット配置されている。また、前記半導体型光源１および前記レンズ部材２のテールランプのランプユニットは、その他の機能のランプユニットと共にリヤコンビネーションランプを構成する。前記リヤコンビネーションランプは、車両（図示せず）の後部の左右両側に搭載されている。
【００１５】
（半導体型光源１の説明）
前記半導体型光源１は、この例では、たとえば、ＬＥＤ、ＥＬ（有機ＥＬ）などの自発光半導体型光源である。前記半導体型光源１は、発光チップ（ＬＥＤチップ）１１を封止樹脂部材で封止したパッケージ構造をなす。前記半導体型光源１は、図２に示すように、基板１０に実装されている。前記基板１０は、取付部材など（図示せず）を介して前記ランプハウジングに取り付けられている。前記半導体型光源１は、前記基板１０を介して給電される。図４に示すように、前記半導体型光源１の前記発光チップ１１から光Ｌ１、Ｌ３が広角にほぼ半球状（前記発光チップ１１を点（角の頂点）とする立体角が約１８０°）に放射される。
【００１６】
（レンズ部材２の説明）
前記レンズ部材２は、図１に示すように、正面視の形状（車両の後方から車両の後部を見た形状）が円形をなし、かつ、図２に示すように、断面形状が薄皿杯形状をなす。前記レンズ部材２は、この例では、ＰＣ（ポリカーボネート）、ＰＭＭＡ（ポリメタクリル酸メチル、メタクリル樹脂）などの透明樹脂材からなる。前記レンズ部材２は、取付部材など（図示せず）を介して前記ランプハウジングに取り付けられている。すなわち、前記半導体型光源１と前記レンズ部材２とは、相対取付位置が維持されている状態で前記ランプハウジングに取り付けられている。
【００１７】
前記レンズ部材２は、第１入射面２０１と、第２入射面２０２と、第１出射面２１１と、第２出射面２１２と、２つの第３出射面２１３、２１４と、第１反射面２２１と、第２反射面２２２と、２つの第３反射面２２３、２２４と、第１非発光面２３１と、第２非発光面２３２と、１つの第３非発光面２３３と、を有するものである。
【００１８】
前記第１入射面２０１は、前記半導体型光源１の前記発光チップ１１の中央部（前記発光チップ１１を点（角の頂点）とする立体角が約８０°の中央部）から放射される光Ｌ１を平行光もしくはほぼ平行光（以下、単に「平行光」と称する）Ｌ２として入射させる面である。前記平行光Ｌ２は、前記レンズ部材２の光軸Ｏと平行もしくはほぼ平行である。前記第１入射面２０１は、前記レンズ部材２の前記半導体型光源１と対向する面の中央部に設けられている。すなわち、前記第１入射面２０１は、前記半導体型光源１の中央部と対応して設けられている。前記第１入射面２０１は、前記半導体型光源１の前記発光チップ１１もしくはその近傍を焦点Ｆ１とする双曲線を、前記双曲線の主軸（前記レンズ部材２の光軸Ｏ）を回転軸として回転させてなる回転双曲面の屈折面である。
【００１９】
前記第２入射面２０２は、前記半導体型光源１の前記発光チップ１１の側部（前記発光チップ１１を点（角の頂点）とする立体角が約８０°から約１８０°までの間の側部）から放射される光Ｌ３を平行光もしくはほぼ平行光（以下、単に「平行光」と称する）Ｌ４として入射させる面である。前記第２入射面２０２は、前記レンズ部材２の前記半導体型光源１と対向する面の側部に設けられている。すなわち、前記第１入射面２０１は、中央部の前記第１入射面２０１の側部であって、前記半導体型光源１の側部と対応して設けられている。前記第２入射面２０２は、前記半導体型光源１の前記発光チップ１１もしくはその近傍を焦点Ｆ２とする双曲線を、前記第１入射面２０１の回転軸を回転軸として回転させてなる屈折面である。
【００２０】
図５に示すように、前記第１入射面２０１を形成する前記双曲線の頂点から前記半導体型光源１の前記発光チップ１１までの距離Ｔ１は、前記第２入射面２０２を形成する前記双曲線の頂点から前記半導体型光源１の前記発光チップ１１までの距離Ｔ２よりも小さい。
【００２１】
前記第１出射面２１１は、前記第１入射面２０１から入射した前記平行光Ｌ２を測定スクリーン（図示せず）に対して垂直もしくはほぼ垂直な平行光もしくはほぼ平行光（以下、単に「平行光」と称する）Ｌ５として出射させる面である。前記平行光Ｌ５は、前記レンズ部材２の光軸Ｏと平行もしくはほぼ平行である。前記第１出射面２１１は、前記レンズ部材２の前記半導体型光源１と対向する面と反対側の面の中央部に設けられている。すなわち、前記第１出射面２１１は、前記第１入射面２０１および前記半導体型光源１の中央部と対応して設けられている。前記第１出射面２１１は、前記レンズ部材２の光軸Ｏに対して水平もしくはほぼ水平である面を基本（基調）とする。前記第１出射面２１１は、前記レンズ部材２の光軸Ｏを中心とする円形をなす。
【００２２】
前記第１反射面２２１は、前記第２入射面２０２から入射した前記平行光Ｌ４の一部を前記レンズ部材２の光軸Ｏと平行もしくはほぼ平行な平行反射光もしくはほぼ平行反射光（以下、単に「平行反射光」と称する）Ｌ６として全反射させる面である。前記第１反射面２２１は、前記レンズ部材２の前記半導体型光源１と対向する面の前記第２入射面２０２の外側部に設けられている。すなわち、前記第１反射面２２１は、直線を前記第１入射面２０１の回転軸を回転軸として回転させてなる反射面である。前記第１反射面２２１を形成する前記直線は、前記第２入射面２０２側（下側）から前記第２出射面２１２側（上側）にかけて、前記レンズ部材２の中央部から側部に傾斜している。前記第１反射面２２１を形成する前記直線と前記第２入射面２０２を形成する前記双曲線とのなす角度は、約９０°に近い。
【００２３】
前記第２出射面２１２は、前記第１反射面２２１で全反射した前記平行反射光Ｌ６を前記測定スクリーンに対して垂直もしくはほぼ垂直な平行光もしくはほぼ平行光（以下、単に「平行光」と称する）Ｌ７として出射させる面である。前記平行光Ｌ７は、前記レンズ部材２の光軸Ｏと平行もしくはほぼ平行である。前記第２出射面２１２は、前記レンズ部材２の前記半導体型光源１と対向する面と反対側の面の前記第１出射面２１１の外側部に設けられている。前記第２出射面２１２は、前記第１反射面２２１側（下側）から前記第１出射面２１１側（上側）にかけて、前記レンズ部材２の中央部から側部に傾斜している面を基本（基調）とする。前記第２出射面２１２は、前記レンズ部材２の光軸Ｏを中心とする円環形状をなす。
【００２４】
前記第２反射面２２２は、前記第２入射面２０２から入射した前記平行光Ｌ４の残りを平行反射光もしくはほぼ平行反射光（以下、単に「平行反射光」と称する）Ｌ８として２つの前記第３反射面２２３、２２４側、すなわち、前記レンズ部材２の側部側に全反射させる面である。前記第２反射面２２２は、前記レンズ部材２の前記半導体型光源１と対向する面と反対側の面の前記第２出射面２１２の外側部に設けられている。前記第２反射面２２２は、直線を前記第１入射面２０１の回転軸を回転軸として回転させてなる反射面である。前記第２反射面２２２を形成する前記直線は、前記第１反射面２２１側（下側）から前記第２出射面２１２側（上側）にかけて、前記レンズ部材２の中央部から側部に傾斜している。
【００２５】
２つの前記第３反射面２２３、２２４は、前記第２反射面２２２で全反射した前記平行反射光Ｌ８を、２つの光束に分割して、前記レンズ部材２の光軸Ｏと平行もしくはほぼ平行な２つの光束の平行反射光もしくはほぼ平行反射光（以下、単に「平行反射光」と称する）Ｌ９、Ｌ１０として全反射させる面である。２つの前記第３反射面２２３、２２４は、前記レンズ部材２の前記半導体型光源１と対向する面の前記第１反射面２２１の外側部に設けられている。すなわち、２つの前記第３反射面２２３、２２４は、直線を前記第１入射面２０１の回転軸を回転軸として回転させてなる反射面である。２つの前記第３反射面２２３、２２４を形成する前記直線は、前記第１反射面２２１側（下側）から前記第２反射面２２２側（上側）にかけて、前記レンズ部材２の中央部から側部に傾斜している。
【００２６】
２つの前記第３出射面２１３、２１４は、２つの前記第３反射面２２３、２２４で全反射した前記平行反射光Ｌ９、Ｌ１０を前記測定スクリーンに対して垂直もしくはほぼ垂直な平行光もしくはほぼ平行光（以下、単に「平行光」と称する）Ｌ１１、Ｌ１２として出射させる面である。前記平行光Ｌ１１、Ｌ１２は、前記レンズ部材２の光軸Ｏと平行もしくはほぼ平行である。２つの前記第３出射面２１３、２１４は、前記レンズ部材２の前記半導体型光源１と対向する面と反対側の面の前記第２反射面２２２の外側部に設けられている。２つの前記第３出射面２１３、２１４は、前記第２反斜面２２２側（上側）から２つの前記第３反射面２２３、２２４側（下側）にかけて、前記レンズ部材２の中央部から側部に傾斜している面を基本（基調）とする。２つの前記第３出射面２１３、２１４は、前記レンズ部材２の光軸Ｏを中心とする円環形状をなす。
【００２７】
前記第１出射面２１１および前記第２出射面２１２および２つの前記第３出射面２１３、２１４には、前記平行光Ｌ５、Ｌ７、Ｌ１１、Ｌ１２を拡散させる拡散部２４がそれぞれ設けられている。前記拡散部２４は、たとえば、魚眼プリズムなどから構成されている。
【００２８】
前記第１非発光面２３１、前記第２非発光面２３２、１つの前記第３非発光面２３３は、前記レンズ部材２の前記半導体型光源１と対向する面と反対側の面において、前記第１反射面２１１と前記第２反射面２１２との間、前記第２反射面２１２と１つの前記第３反射面２１３との間、２つの前記第３反射面２１３と２１４との間、にそれぞれ円環形状に設けられている。前記第２非発光面２３２および前記第３非発光面２３３と、前記レンズ部材２の前記半導体型光源１と対向する面であって、前記第２非発光面２３２および前記第３非発光面２３３に対応する面とは、前記平行反射光Ｌ８の光路と平行もしくはほぼ平行である。これにより、前記レンズ部材２の外側の部分、すなわち、前記第２非発光面２３２および前記第３非発光面２３３が設けられている部分の肉厚を薄くすることができる。この結果、レンズ部材２の材料が少なくて済み、製造コストを安価にすることができる。
【００２９】
ここで、前記レンズ部材２の前記第１出射面２１１、前記第２出射面２２２、前記第３出射面２１３、２１４から出射される光（前記平行光Ｌ５、Ｌ７、Ｌ１１、Ｌ１２）は、前記測定スクリーンに対して垂直もしくはほぼ垂直な平行光もしくはほぼ平行光であると、配光制御や配光設計が容易となる。
【００３０】
（実施形態の作用の説明）
この実施形態における車両用灯具は、以上のごとき構成からなり、以下、その作用について説明する。
【００３１】
半導体型光源１の発光チップ１１を点灯する。すると、半導体型光源１の発光チップ１１の中央部から放射される光Ｌ１は、レンズ部材２の第１入射面２０１からレンズ部材２中にレンズ部材２の光軸Ｏに平行な平行光Ｌ２として入射する。一方、半導体型光源１の発光チップ１１の側部から放射される光Ｌ３は、レンズ部材２の第２入射面２０２からレンズ部材２中に平行光Ｌ４として入射する。
【００３２】
第１入射面２０１からレンズ部材２中に入射した平行光Ｌ２は、レンズ部材２の第１出射面２１１から、測定スクリーンに対して垂直な、かつ、レンズ部材２の光軸Ｏに平行な平行光Ｌ５として外部に出射する。
【００３３】
一方、第２入射面２０２からレンズ部材２中に入射した平行光Ｌ４の一部は、レンズ部材２の第１反射面２２１で、レンズ部材２の光軸Ｏに平行な平行反射光Ｌ６として全反射する。その平行反射光Ｌ６は、レンズ部材２の第２出射面２１２から、測定スクリーンに対して垂直な、かつ、レンズ部材２の光軸Ｏに平行な平行光Ｌ７として外部に出射する。
【００３４】
また、第２入射面２０２からレンズ部材２中に入射した平行光Ｌ４の残りは、レンズ部材２の第２反射面２２２で、平行反射光Ｌ８として全反射する。その平行反射光Ｌ８は、レンズ部材２の２つの第３反射面２２３、２２４で、２つの光束に分割されて、レンズ部材２の光軸Ｏに平行な２つの光束の平行反射光Ｌ９、Ｌ１０として全反射する。その２つの光束の平行反射光Ｌ９、Ｌ１０は、２つの第３出射面２１３、２１４から、それぞれ、測定スクリーンに対して垂直な、かつ、レンズ部材２の光軸Ｏに平行な平行光Ｌ１１、Ｌ１２として外部に出射する。
【００３５】
平行光Ｌ５、Ｌ７、Ｌ１１、Ｌ１２がレンズ部材２の第１出射面２１１、第２出射面２１２、２つの第３反射面２１３、２１４から外部に出射することにより、図６に示すように、第１出射面２１１は円形形状に発光し、一方、第２出射面２１２、２つの第３反射面２１３、２１４は円環形状に発光する。また、第１反射面２１１と第２反射面２１２との間の第１非発光面２３１、第２反射面２１２と１つの第３反射面２１３との間の第２非発光面２３２、２つの第３反射面２１３と２１４との間の第３非発光面２３３は、円環形状に非発光（無発光）の状態にある。
【００３６】
平行光Ｌ５、Ｌ７、Ｌ１１、Ｌ１３は、レンズ部材２の第１出射面２１１、第２出射面２１２、２つの第３反射面２１３、２１４から外部に出射する際に、第１出射面２１１の拡散部２４および第２出射面２１２の拡散部２４および２つの第３出射面２１３、２１４の拡散部２４において拡散される。
【００３７】
（実施形態の効果の説明）
この実施形態における車両用灯具は、以上のごとき構成および作用からなり、以下、その効果について説明する。
【００３８】
この実施形態における車両用灯具は、第１出射面２１１および第２出射面２１２および２つの第３出射面２１３、２１４と、第１出射面２１１と第２出射面２１２との間および第２出射面２１２と１つの第３出射面２１３との間および２つの第３出射面２１３と２１４との間にそれぞれ設けられている、第１非発光面２３１および第２非発光面２３２および１つの第３非発光面２３３と、により、図６に示すように、発光面（図６中において点々が施されている面）と非発光面（図６中の白紙面）とが交互に配列された発光パターンを得ることができ、しかも、発光範囲を拡大させることができる。
【００３９】
特に、この実施形態における車両用灯具は、図６に示すように、円形の第１出射面２１１、円環形状の第２出射面２１２、円環形状の２つの第３出射面２１３、２１４と、円環形状の第１非発光面２３１、円環形状の第２非発光面２３２、円環形状の１つの第３非発光面２３３と、が交互に配列された発光パターンを得ることができる。
【００４０】
その上、この実施形態における車両用灯具は、第１非発光面２３１の幅および第２非発光面２３２の幅および１つの第３非発光面２３３の幅を、所定幅（たとえば、１５ｍｍ以内）とすることにより、法規を満足する発光パターンを得ることができる。
【００４１】
この実施形態における車両用灯具は、第１反射面２２１、第２反射面２２２、２つの第３反射面２２３、２２４が直線を第１入射面２０１の回転軸を回転軸として回転させてなる反射面であるから、凹状の曲面からなる反射面と比較して、製造や製造管理などが容易である。
【００４２】
この実施形態における車両用灯具は、第１入射面２０１を形成する双曲線の頂点から半導体型光源１までの距離Ｔ１が第２入射面２０２を形成する双曲線の頂点から半導体型光源１までの距離Ｔ２よりも小さい。この結果、この実施形態における車両用灯具は、第２入射面２０２を形成する双曲線が第１入射面２０１を形成する双曲線よりもレンズ部材２の中央部側に突出して、アンダーカットとなるようなことがない。これにより、この実施形態における車両用灯具は、レンズ部材２の成形金型を複雑にすることがなく、その分、製造コストを安価にすることができる。
【００４３】
この実施形態における車両用灯具は、拡散部２４により、第１出射面２１１、第２出射面２１２、２つの第３出射面２１３、２１４から外部に出射する平行光Ｌ５、Ｌ７、Ｌ１１、Ｌ１２を任意に配光制御することができる。
【００４４】
（実施形態以外の例の説明）
なお、前記の実施形態においては、リヤコンビネーションランプのテールランプについて説明するものである。ところが、この発明においては、リヤコンビネーションランプのテールランプ以外の車両用灯具、たとえば、リヤコンビネーションランプのストップランプ、テール・ストップランプ、ターンシグナルランプ、クリアランスランプ、あるいは、フロントコンビネーションランプのクリアランスランプ、ターンシグナルランプ、デイタイムランニングランプなどにも適用することができる。
【００４５】
また、前記の実施形態においては、第１出射面２１１および第２出射面２１２および２つの第３出射面２１３、２１４に拡散部２４を設けるものである。ところが、この発明においては、拡散部２４を第１出射面２１１または第２出射面２１２または２つの第３出射面２１３、２１４のいずれか一方に設けるものであっても良い。
【００４６】
さらに、前記の実施形態においては、拡散部２４を第１出射面２１１の全面、第２出射面２１２の全面、２つの第３出射面２１３、２１４に設けるものである。ところが、この発明においては、拡散部２４を第１出射面２１１の一部の面、第２出射面２１２の一部の面、２つの第３出射面２１３、２１４の一部の面に設けるものであっても良い。
【００４７】
さらにまた、前記の実施形態においては、２つの第３出射面２１３、２１４、２つの第３反射面２２３、２２４を有するものである。ところが、この発明においては、１つの第３出射面、１つの第３反射面を有するもの、あるいは、３つ以上の第３出射面、３つ以上の第３反射面を有するものであっても良い。
【符号の説明】
【００４８】
１  半導体型光源
１０  基板
１１  発光チップ
２  レンズ部材
２０１  第１入射面
２０２  第２入射面
２１１  第１出射面
２１２  第２出射面
２１３、２１４  第３出射面
２２１  第１反射面
２２２  第２反射面
２２３、２２４  第３反射面
２３１  第１非発光面
２３２  第２非発光面
２３３  第３非発光面
２４  拡散部
Ｆ１  第１入射面の双曲線の焦点
Ｆ２  第２入射面の双曲線の焦点
Ｌ１、Ｌ３  半導体型光源からの光
Ｌ２、Ｌ４  レンズ部材に入射する平行光
Ｌ５、Ｌ７、Ｌ１１、Ｌ１２  レンズ部材から出射する平行光
Ｌ６、Ｌ８、Ｌ９、Ｌ１０  平行反射光
Ｏ  レンズ部材の光軸
Ｔ１  第１入射面の双曲線の頂点から半導体型光源までの距離
Ｔ２  第２入射面の双曲線の頂点から半導体型光源までの距離
【図１】
2014060040.tif 000003
【図２】
2014060040.tif 000004
【図３】
2014060040.tif 000005
【図４】
2014060040.tif 000006
【図５】
2014060040.tif 000007
【図６】
2014060040.tif 000008